(57)【特許請求の範囲】
【請求項１】
前辺（２）と、後辺（３）と、第１側辺（４）と、第２側辺（５）を備えた不織布製のシート体（１）を、渦巻状に巻き込んでロール状に整形してある払拭清浄体であって、
払拭清浄体は、シート体（１）が概ね平行な折り線（１１・１３・１４）に沿って複数回折りたたまれて、前辺（２）および後辺（３）のいずれか一方を巻き込み始端にして、第１側辺（４）と第２側辺（５）のそれぞれが外面に露出する状態で渦巻状に巻き込んでロール状に整形されており、
第１側辺（４）および第２側辺（５）と、展開始端（６・７）とが、払拭清浄体のロール中心軸（Ｐ）方向の異なる位置においてロール周面に露出させてあることを特徴とする払拭清浄体。
【請求項２】
前辺（２）と、後辺（３）と、第１側辺（４）と、第２側辺（５）を備えた不織布製のシート体（１）を、渦巻状に巻き込んでロール状に整形してある払拭清浄体であって、
払拭清浄体は、シート体（１）が概ね平行な折り線（１１・１３・１４）に沿って複数回折りたたまれて、前辺（２）および後辺（３）のいずれか一方を巻き込み始端にして、第１側辺（４）と第２側辺（５）のそれぞれが外面に露出する状態で渦巻状に巻き込んでロール状に整形されており、
ロール周面に沿って第１側辺（４）と第２側辺（５）とが交差し、展開始端（６・７）が払拭清浄体のロール周面の周方向の異なる位置に露出していることを特徴とする払拭清浄体。
【請求項３】
消毒用アルコール、イソプロピルアルコール、塩化ベンザルコニウム、塩化ベンゼトニウム、グルコン酸クロルヘキシジン、次亜塩素酸ナトリウム、アクリノール、ポピドンヨード、グルタールアルデヒド、過酸化水素から選ばれた１種または２種以上を混合した液を含浸させたことを特徴とする請求項１または２に記載の払拭清浄体。
【請求項４】
前辺（２）と、後辺（３）と、第１側辺（４）と、第２側辺（５）を備えた不織布製のシート体（１）を、渦巻状に巻き込んでロール状に整形してある払拭清浄体の製造方法であって、
シート体（１）の左右幅に一致するウェブ（Ｗ）を、その左右中央から左右いずれか一方へ偏寄した位置で二つ折りにして、第１側辺（４）と第２側辺（５）とが左右方向へずれた状態の前段重畳シート（１０）を形成する第１工程と、
前段重畳シート（１０）を、第１側辺（４）と第２側辺（５）のそれぞれが外面に露出する状態で折りたたんで次段重畳シート（１２）を形成する第２工程と、
次段重畳シート（１２）を所定の長さで切断し、第１側辺（４）と第２側辺（５）のそれぞれが外面に露出する状態で、前辺（２）および後辺（３）のいずれか一方の側から他方へ向かって渦巻状に巻き込んでロール状に整形する第３工程を含む払拭清浄体の製造方法。
【請求項５】
前辺（２）と、後辺（３）と、第１側辺（４）と、第２側辺（５）を備えた矩形状の不織布製のシート体（１）を形成素材にしてロール状に整形してある払拭清浄体の製造方法であって、
シート体（１）を、その左右中央の近傍で、前辺（２）および後辺（３）に対して斜めに交差する折り線（１１）に沿って二つ折りにして、前段重畳シート（１０）を形成する第１工程と、
前段重畳シート（１０）を、折り線（１１）と概ね平行な折り線（１３・１４）に沿って、第１側辺（４）と第２側辺（５）のそれぞれが外面に露出する状態で折りたたんで次段重畳シート（１２）を形成する第２工程と、
次段重畳シート（１２）を所定の長さで切断し、第１側辺（４）と第２側辺（５）のそれぞれが外面に露出する状態で、前辺（２）および後辺（３）のいずれか一方の側から他方へ向かって渦巻状に巻き込んでロール状に整形する第３工程を含み、
第３工程を経て得られた払拭清浄体が、ロール周面に沿って第１側辺（４）と第２側辺（５）とが交差し、展開始端（６・７）が払拭清浄体のロール周面の周方向の異なる位置に露出していることを特徴とする払拭清浄体の製造方法。
【請求項６】
第２工程において、前段重畳シート（１０）を折り線（１３・１４）に沿って断面Ｚ字状に折りたたんで次段重畳シート（１２）を形成する請求項４または５に記載の払拭清浄体の製造方法。
【請求項７】
第２工程における折り線（１３・１４）を、第１工程における折り線（１１）と平行にして次段重畳シート（１２）を形成し、
第３工程における巻き込み中心軸（１５）が、第１工程および第２工程における折り線（１１・１３・１４）と直交する状態で次段重畳シート（１２）を渦巻状に巻き込む請求項４、５または６のいずれかひとつに記載の払拭清浄体の製造方法。
【発明の詳細な説明】
【技術分野】
【０００１】
本発明は、手拭き用の紙お絞り、あるいは体を払拭して清浄化するための濡れタオルなどの使い捨て使用される払拭清浄体に関し、なかでもロール状に整形した状態で提供される払拭清浄体と、その製造方法に関する。
【背景技術】
【０００２】
本発明に関して、払拭清浄体をロール状に整形することは、たとえば特許文献１に公知である。そこでは、矩形の払拭シートの左３分の１の領域、および右３分の１の領域をそれぞれ中央３分の１の領域へ向かって折りたたんで３重にする。つぎに、３重の重畳シートの前側３分の１の領域を上面側へ折り曲げ、折り曲げ端を中心にして重畳シートを渦巻状に巻き込んでロール状に整形している。このように、ロール状に整形した払拭清浄体は、幾重にも折りたたまれた払拭清浄体に比べて、取扱いが容易であり、さらに、使用時にはより少ない手間で枚葉シート状に展開できる利点がある。
【０００３】
同様のロールお絞りは特許文献２にも開示されている。そこでは、左右に長い不織布製のシート材を長手方向の中央で二つ折りにしたのち、折りたたみ端を中心にして渦巻状に巻き込んでロール状に整形している。使用時には、ロール状のお絞りのロール層を平坦な状態に解きほぐしたのち、二つ折り状態のシート材の両側縁を摘んで左右に引っ張り操作することにより枚葉シート状に展開することができる。
【０００４】
特許文献３の濡れタオルには、ロール状に整形された払拭清浄体を、より簡単に枚葉シート状に展開するための折りたたみ構造が提案されている。そこでは、左右横長のタオルを長手方向の中央近傍で二つ折りにするが、そのとき、タオルの左側縁を右側縁よりも外側方へ突出させた状態にする。つぎに、二つ折りにしたタオルを、もう一度山折り状に折りたたんで、一度目の折りたたみ縁を左側縁の端部寄りの下面側に位置させる。この状態のタオルの生地面は４重になっており、４重の重畳体の左側にタオルの左側縁が突出し、タオルの右側縁が重畳体の上面に露出している。最後に、４重の重畳体の前縁を中心にして渦巻状に巻き込んで、濡れタオルをロール状に整形している。
【先行技術文献】
【特許文献】
【０００５】
【特許文献１】実開平０６−００３１９１号公報（段落番号０００７、図１〜図５）
【特許文献２】特開平０７−２５０７７６号公報（段落番号００３２、図５）
【特許文献３】特開平０９−２９４６８９号公報（段落番号００１９、図２〜図４）
【発明の概要】
【発明が解決しようとする課題】
【０００６】
特許文献１の紙お絞りを使用する場合には、そのロール層を平坦な状態に解きほぐしたうえで、３重の重畳シートを枚葉シート状に展開しなければならない。そのため、ロール状に整形した紙お絞りを枚葉シート状に展開するのに手間が掛かり煩雑であった。たとえば、医療や介護等の臨床現場においては、感染を防ぐ必要上使い捨てできる紙お絞りや濡れタオルを使用することがあるが、先のようにロール状の紙お絞りをシート状に展開するのに手間が掛かるようでは、患者の状況や要望に対応して迅速に対応できない。
【０００７】
その点、特許文献２のロールお絞りを使用する場合には、お絞りのロール層を平坦な状態に解きほぐしたのち、二つ折り状態の重畳シートを枚葉シート状に展開すればよいので、特許文献１の紙お絞りに比べて、シート状に展開する手間をある程度は省くことができる。しかし、ロール状に整形されたお絞りには、たとえば殺菌剤や防腐剤を含む精製水が含浸させてあるため、隣接するシート同士が吸着して分離しにくく、ロール層を平坦な状態に解きほぐすのに少なからず手間が掛かる。また、二つ折りにした重畳シートの折りたたみ端を始端にして渦巻状に巻き込むので、大きなサイズの素材シートをロール状に整形した場合の払拭清浄体の外形寸法が大きくなるのを避けられず、お絞りのような小サイズの払拭清浄体にしか適用できない。
【０００８】
特許文献３の濡れタオルは、特許文献２のロールお絞りと同様に特許文献１の紙お絞りに比べて、シート状に展開する手間がさらに少なくて済む。しかし、使用時にはロール層を平坦な状態に解きほぐしたのち、４重の重畳体をシート状に展開しなければならず、ロール層を平坦な状態に解きほぐすのに手間が掛かる。これは、ロール状の濡れタオルにおいては、タオルの左側縁の隅部は最外面に露出しているが、タオルの右側縁の隅部が左側縁の内面に位置しているため、両側縁の隅部を摘んで一気に枚葉シート状に展開できないからである。詳しくは、両側縁の隅部を摘んで左右へ引っ張るとき、外側に位置する左側縁に連なるシート面が、内側に位置する右側縁に連なるシート面を展開するときの邪魔になるからである。
【０００９】
本発明の目的は、ロール状に整形された払拭清浄体を、少ない手間で一気に枚葉シート状に展開でき、したがって、医療や介護等の臨床現場において、患者の状況や要望に対応して迅速に対応できる拭清浄体と、その製造方法を提供することにある。
【課題を解決するための手段】
【００１０】
本発明に係る払拭清浄体は、前辺２と、後辺３と、第１側辺４と、第２側辺５を備えた不織布製のシート体１を、渦巻状に巻き込んでロール状に整形する。払拭清浄体は、シート体１が概ね平行な折り線１１・１３・１４に沿って複数回折りたたまれて、前辺２および後辺３のいずれか一方を巻き込み始端にして、第１側辺４と第２側辺５のそれぞれが外面に露出する状態で渦巻状に巻き込んでロール状に整形する。図３に示すように、ロール状に整形した払拭清浄体においては、第１側辺４および第２側辺５と、展開始端６・７とが、払拭清浄体のロール中心軸Ｐ方向の異なる位置においてロール周面に露出していることを特徴とする。
【００１１】
本発明に係る別の払拭清浄体は、前辺２と、後辺３と、第１側辺４と、第２側辺５を備えた不織布製のシート体１を、渦巻状に巻き込んでロール状に整形する。払拭清浄体は、シート体１が概ね平行な折り線１１・１３・１４に沿って複数回折りたたまれて、前辺２および後辺３のいずれか一方を巻き込み始端にして、第１側辺４と第２側辺５のそれぞれが外面に露出する状態で渦巻状に巻き込んでロール状に整形する。図９（ｃ）、図９（ｄ）に示すように、ロール状に整形した払拭清浄体においては、ロール周面に沿って第１側辺４と第２側辺５とが交差し、展開始端６・７が払拭清浄体のロール周面の周方向の異なる位置に露出していることを特徴とする。
【００１２】
払拭清浄体には、消毒用アルコール、イソプロピルアルコール、塩化ベンザルコニウム、塩化ベンゼトニウム、グルコン酸クロルヘキシジン、次亜塩素酸ナトリウム、アクリノール、ポピドンヨード、グルタールアルデヒド、過酸化水素から選ばれた１種または２種以上を混合した液を含浸させる。
【００１３】
本発明に係る払拭清浄体の製造方法は、前辺２と、後辺３と、第１側辺４と、第２側辺５を備えた不織布製のシート体１を、渦巻状に巻き込んでロール状に整形してある払拭清浄体を対象としており、以下の第１工程と、第２工程と、第３工程を含んで形成する。第１工程では、図１（ａ）および図１（ｂ）に示すように、シート体１の左右幅に一致するウェブＷを、その左右中央から左右いずれか一方へ偏寄した位置で二つ折りにして、第１側辺４と第２側辺５とが左右方向へずれた状態の前段重畳シート１０を形成する。第２工程では図１（ｃ）に示すように、前段重畳シート１０を、第１側辺４と第２側辺５のそれぞれが外面に露出する状態で折りたたんで次段重畳シート１２を形成する。第３工程では図１（ｄ）に示すように、次段重畳シート１２を所定の長さで切断し、第１側辺４と第２側辺５のそれぞれが外面に露出する状態で、前辺２および後辺３のいずれか一方の側から他方へ向かって渦巻状に巻き込んでロール状に整形する。これらの工程を経て形成された払拭清浄体は、たとえば、図３および図６（ｄ）に示すように形成される。なお、「前辺２および後辺３のいずれか一方の側から」とは、前辺２が巻き始端である場合と、後辺３が巻き始端である場合と、前辺２あるいは後辺３の近傍を折り曲げて、この折り曲げ部分を巻き始端とする場合のいずれをも含むこととする。
【００１４】
本発明に係る別の払拭清浄体の製造方法は、前辺２と、後辺３と、第１側辺４と、第２側辺５を備えた矩形状の不織布製のシート体１を形成素材にして、ロール状の払拭清浄体を第１工程と、第２工程と、第３工程を含んで形成する。第１工程では、シート体１を、その左右中央の近傍で、前辺２および後辺３に対して斜めに交差する折り線１１に沿って二つ折りにして、前段重畳シート１０を形成する。第２工程では、前段重畳シート１０を、折り線１１と概ね平行な折り線１３・１４に沿って、第１側辺４と第２側辺５のそれぞれが外面に露出する状態で折りたたんで次段重畳シート１２を形成する。第３工程では、次段重畳シート１２を所定の長さで切断し、第１側辺４と第２側辺５のそれぞれが外面に露出する状態で前辺２および後辺３のいずれか一方から他方へ向かって渦巻状に巻き込んでロール状に整形する。第３工程を経て得られた払拭清浄体は、ロール周面に沿って第１側辺４と第２側辺５とが交差し、展開始端６・７が払拭清浄体のロール周面の周方向の異なる位置に露出している。これらの工程を経て形成された払拭清浄体は、たとえば図９（ｄ）に示すように形成される。
【００１５】
図１（ｃ）に示すように、第２工程において、前段重畳シート１０を折り線１３・１４に沿って断面Ｚ字状に折りたたんで次段重畳シート１２を形成する。
【００１６】
第２工程における折り線１３・１４を、第１工程における折り線１１と平行にして次段重畳シート１２を形成する。さらに、第３工程における巻き込み中心軸１５を、第１工程および第２工程における折り線１１・１３・１４と直交する状態で次段重畳シート１２を渦巻状に巻き込む（図１（ｃ）、図９（ｃ）参照）。
【発明の効果】
【００１７】
本発明では、ロール状に整形された払拭清浄体において、第１、第２の各側辺４・５と展開始端６・７を、払拭清浄体のロール中心軸Ｐ方向の異なる位置においてロール周面に露出させて、展開始端６・７を容易に摘めるようにした。さらに各側辺４・５の展開始端６・７摘んで、左右に引っ張り操作するとき、一方の側辺に連なるシート面と、他方の側辺に連なるシート面のそれぞれがく字状に展開して、両シート面が互いに容易に分離できるようにシート体１が折りたたまれている。したがって、本発明の払拭清浄体によれば、ロール状の払拭清浄体を、少ない手間で一気に枚葉シート状に展開することができ、これにより、医療や介護等の臨床現場において、患者の状況や要望に対応して迅速に対応できる拭清浄体を提供できる。
【００１８】
本発明に係る別の払拭清浄体においては、ロール状に整形された払拭清浄体のロール周面に沿って第１側辺４と第２側辺５とが交差し、展開始端６・７を払拭清浄体のロール周面の周方向の異なる位置に露出させるようにした。このように、展開始端６・７をロール周面の周方向の異なる位置に露出させると、第１側辺４と第２側辺５との、いずれか一方に連なるシート面をロール周面に大きく露出させることができる。したがって、ロール状の払拭清浄体をさらに容易に枚葉シート状に展開することができる。
【００１９】
ウイルスや感染症対策用の払拭清浄体には、殺菌消毒剤として、７０〜８０％の消毒用アルコールやイソプロピルアルコール、０．０１〜３ｖｏｌ％の塩化ベンザルコニウム、０．０１〜０．５ｖｏｌ％の塩化ベンゼトニウム、０．０２〜０．１ｖｏｌ％のグルコン酸クロルヘキシジン、０．０１〜０．１ｖｏｌ％の次亜塩素酸ナトリウム、０．０５〜０．２ｖｏｌ％のアクリノール、７．５〜１０ｖｏｌ％のポピドンヨード、約２ｖｏｌ％のグルタールアルデヒド、２ｖｏｌ％の過酸化水素などから選ばれた１種または２種以上を混合したものを含浸させることができる。ウイルスや感染症対策には、患者の体や手指だけでなく、ベッド周りや容器、機器類等まで幅広い範囲を迅速に殺菌消毒する必要があり、殺菌消毒剤を含浸させた本清浄体は、非常に有用である。
【００２０】
本発明に係る払拭清浄体の製造方法では、第１工程においてシート体１の左右幅に一致するウェブＷを二つ折りにして、第１側辺４と第２側辺５とが左右方向へずれた状態の前段重畳シート１０を形成した。第２工程においては、前段重畳シート１０を、第１側辺４と第２側辺５のそれぞれが外面に露出する状態で折りたたんで次段重畳シート１２を形成した。第３工程では、次段重畳シート１２を所定の長さで切断し、切断された重畳ブランクを、第１側辺４と第２側辺５のそれぞれが外面に露出する状態で、渦巻状に巻き込んでロール状に整形した。このように第１工程と、第２工程と、第３工程を経て払拭清浄体を形成すると、第１、第２の各側辺４・５と展開始端６・７が、ロール中心軸Ｐ方向の異なる位置においてロール周面に露出する払拭清浄体を、連続して的確に形成できる。したがって、より少ない手間で一気に枚葉シート状に展開でき、しかも使い勝手に優れた払拭清浄体を低コストで提供できる。
【００２１】
本発明に係る別の払拭清浄体の製造方法では、第１工程において、シート体１を前辺２および後辺３に対して斜めに交差する折り線１１に沿って二つ折りにして、前段重畳シート１０を形成した。第２工程では、前段重畳シート１０を、折り線１１と概ね平行な折り線１３・１４に沿って折りたたんで次段重畳シート１２を形成した。第３工程では、次段重畳シート１２を、前辺２および後辺３のいずれか一方から他方へ向かって渦巻状に巻き込んでロール状に整形した。このように第１工程と、第２工程と、第３工程を経て払拭清浄体を形成すると、ロール周面に沿って第１側辺４と第２側辺５とが交差し、展開始端６・７が払拭清浄体のロール周面の周方向の異なる位置に露出する払拭清浄体をより少ない手間で的確に形成できる。したがって、より少ない手間で一気に枚葉シート状に展開でき、しかも使い勝手に優れた払拭清浄体を低コストで提供できる。
【００２２】
第２工程において、前段重畳シート１０を折り線１３・１４に沿って断面Ｚ字状に折りたたんで次段重畳シート１２を形成すると、サイズが大きなシート体１であっても、ロール状に整形した払拭清浄体のロール中心軸Ｐ方向の長さを小さくできる。したがって、払拭清浄体の外形をコンパクトにまとめて、その占有スペースを小さくでき、包装コストや輸送コストを削減できる。
【００２３】
第２工程における折り線１３・１４を、第１工程における折り線１１と平行にして次段重畳シート１２を形成し、さらに、第３工程における巻き込み中心軸１５を、先の折り線１１・１３・１４と直交させるようにすると、ロール状の払拭清浄体の外形を小さくできる。詳しくは、第３工程において次段重畳シート１２を渦巻状に巻き込むとき、その左右両側に位置する折り線１３・１４がロール端面を形成する状態で、次段重畳シート１２をコンパクトにしかも緻密に巻き込むことができる。したがって、ロール状に整形した払拭清浄体の外形をさらにコンパクトにまとめて、その占有スペースを小さくでき、包装コストや輸送コストをさらに削減できる。因みに、第３工程における巻き込み中心軸１５を、先の折り線１１・１３・１４と斜めに交差する状態で、次段重畳シート１２を渦巻状に巻き込むと、次段重畳シート１２が螺旋状に巻き込まれて、ロール中心軸Ｐ方向の長さが大きくなるのを避けられない。
【図面の簡単な説明】
【００２４】
【図１】実施例１に係る払拭清浄体の製造工程を示す説明図である。
【図２】図１（ｃ）におけるＡ−Ａ線断面図である。
【図３】実施例１に係る払拭清浄体の斜視図である。
【図４】実施例１に係る払拭清浄体を包装した状態の斜視図である。
【図５】実施例１に係る払拭清浄体の使用法を示す斜視図と、払拭清浄体を展開した状態の正面図である。
【図６】実施例２に係る払拭清浄体の製造工程を示す説明図である。
【図７】図６（ｃ）におけるＢ−Ｂ線断面図である。
【図８】実施例２に係る製造工程の一部を変更した払拭清浄体の断面図である。
【図９】実施例３に係る払拭清浄体の製造工程を示す説明図である。
【発明を実施するための形態】
【００２５】
（実施例１）  図１ないし図５は本発明に係る払拭清浄体の実施例１を示す。払拭清浄体は、図１に示すように不織布製の原反ウェブを複数回折りたたんで重畳シートを形成し、重畳シートを切断したのち、渦巻状に巻き込んでロール状に整形したものである。切断された重畳シートを展開した状態のシート体１は、前辺２と、後辺３と、第１側辺（左側辺）４と、第２側辺（右側辺）５を備えている。シート体１の外形形状は左右に長い長方形であり、その左右長さは６０ｃｍ、前後長さは３０ｃｍである。また前辺２および後辺３と、第１側辺４および第２側辺５とは、それぞれ平行で、互いに直交する関係にある。
【００２６】
シート体１の構成繊維は、綿やレーヨンなどの天然由来繊維、あるいはポリエステル、ポリプロピレン、ポリエチレン、アクリル、ポリアミドなどの合成繊維のいずれであってもよく、天然由来繊維と合成繊維を含むものであってもよい。また必要があれば、２種の合成繊維で形成した複合芯鞘繊維であってもよい。図示していないが、柔らかな肌触りを発揮できるようにするために、シート体１にはエンボス加工が施してある。シート体１の秤量は、払拭清浄体の用途に応じて２５〜１２０ｇ／ｃｍ2 の範囲で適宜選択すればよい。この実施例においては、シート体１をお絞りとして使用することを想定しているので、秤量が４０〜８０ｇ／ｃｍ2 の不織布を適用する。なお、払拭清浄体をより大きなサイズの濡れタオルとして使用する場合には、より大きな秤量のシート体１を用いるとよい。
【００２７】
払拭清浄体は、以下に説明する工程を経て製造する。
（第１工程）  この工程では、図１（ａ）に示すように、不織布製の原反ウェブを繰り出しながら、ウェブＷをその左右中央から左右いずれか一方へ偏寄した位置で二つ折りにして、第１側辺４と第２側辺５とが左右方向へずれた状態の前段重畳シート１０を形成する。この実施例では、折り線１１をシート体１の左右中央よりも第２側辺５側へ偏寄させて、折り線１１が前辺２および後辺３に対して直交する状態で、シート体１を二つ折りにした。第１側辺４と第２側辺５の左右方向のずれ量Ｅは２０ｍｍとした。ウェブＷの幅はシート体１の左右幅に一致させるか、広幅のウェブを６０ｃｍの幅に分断して供給するとよい。
【００２８】
（第２工程）  この工程では、図１（ｂ）に示すように、第１側辺４と第２側辺５のそれぞれが外面に露出する状態で、前段重畳シート１０を断面Ｚ字状に折りたたんで次段重畳シート１２を形成する。詳しくは、折り線１１を含む前段重畳シート１０の側端を、折り線１１と平行な左側の折り線１３に沿って山折りし、さらに折り線１１と平行な右側の折り線１４に沿って谷折りして次段重畳シート１２を形成する。このときの山折り加工と谷折り加工とは同時に行われる。左側の折り線１３と第１工程における折り線１１との左右間隔は、右側の折り線１４と第１側辺４との左右間隔と同じであり、さらに、左側の折り線１３と右側の折り線１４との左右間隔よりも僅かに小さくした。得られた次段重畳シート１２は、図２に示すように断面がＺ字状に折りたたまれている。
【００２９】
（第３工程）  この工程では、図１（ｃ）に示すように、次段重畳シート１２を前辺２から３０ｃｍの位置で切断して重畳ブランク（図示していない）を形成する。この重畳ブランクの切断端Ｃが先のシート体１の後辺３となる。つぎに、重畳ブランクを第１側辺４と第２側辺５のそれぞれが外面に露出する状態で、前辺２および後辺３のいずれか一方から他方へ向かって渦巻状に巻き込んでロール状に整形する。この実施例では後辺３側を巻き込み始端にして、巻き込み中心軸線１５が各折り線１１・１３・１４と直交する状態で、重畳ブランクを渦巻状に巻き込んでロール状に整形した。
【００３０】
得られた払拭清浄体は、図１（ｄ）および図３に示すように、第１側辺４および第２側辺５と、各側辺４・５の前端の展開始端６・７とのそれぞれが、払拭清浄体のロール中心軸Ｐ方向の異なる位置においてロール周面に露出している。詳しくは、第１側辺４が左側のロール端面寄りで露出しているのに対して、第２側辺５は払拭清浄体のロール周面のほぼ中央で露出している。また、第１側辺４の展開始端６、および第２側辺５の展開始端７のそれぞれが、ロール周面に露出している。この状態の払拭清浄体の左側のロール端面は折り線１３によって形成され、右側のロール端面は折り線１４によって形成される。
【００３１】
ロール状に整形された払拭清浄体は、たとえば殺菌剤や防腐剤を含む精製水を吹き掛けて含浸させたのち、図４に示すように、包装袋１８に個別包装した状態で市販する。あるいは、ロール状に整形した乾燥状態の払拭清浄体を包装袋１８に封入した状態で市販する。その場合には、使用時にロール状の払拭清浄体や展開した枚葉シートに、先の精製水や清拭液などを含ませる。なお、払拭清浄体は包装袋１８に複数個を封入した状態で市販に供してもよい。また、殺菌剤や防腐剤を含む精製水は、ロール状に整形する前の重畳ブランクや次段重畳シート１２に含浸させてもよい。
【００３２】
殺菌消毒剤としては、７０〜８０％の消毒用アルコールやイソプロピルアルコール、０．０１〜３ｖｏｌ％の塩化ベンザルコニウム、０．０１〜０．５ｖｏｌ％の塩化ベンゼトニウム、０．０２〜０．１ｖｏｌ％のグルコン酸クロルヘキシジン、０．０１〜０．１ｖｏｌ％の次亜塩素酸ナトリウム、０．０５〜０．２ｖｏｌ％のアクリノール、７．５〜１０ｖｏｌ％のポピドンヨード、約２ｖｏｌ％のグルタールアルデヒド、２ｖｏｌ％の過酸化水素などから選ばれた１種または２種以上を混合した水溶液を使用することができる。
【００３３】
包装袋１８は、ポリプロピレン延伸フィルムと未延伸ポリプロピレンフィルムをラミネートした複合フィルム、あるいはアルミニウム箔の片面にポリエチレンフィルム、またはポリプロピレンフィルムをラミネートしたフィルム複合体などで通気不能な袋として形成する。包装袋１８の左右両端はシール部１９で密封してあり、シール部１９に臨む袋端に開封用の切込縁２０が連続山形状に形成してある。
【００３４】
使用時には、左右いずれか一方の切込縁２０を引き裂いて包装袋１８を開封し、ロール状の払拭清浄体を取り出す。つぎに、図５（ａ）に示すように、第１側辺４の展開始端６を左手の親指と人差し指とで摘み、第２側辺５の展開始端７を右手の親指と人差し指とで摘んだ状態で、払拭清浄体を持ち上げながら、矢印で示すように第１側辺４と第２側辺５を左右に引き離し操作する。
【００３５】
すると、払拭清浄体は、自重によってロール層を平坦な状態に解きほぐしながら落下する。同時に、第１側辺４に連なるシート面と、第２側辺５に連なるシート面とが互いに離れる向きへ引っ張られて、各折り線１４・１３・１１を記載順に展開させながら、払拭清浄体の全体を図５（ｂ）に示すように枚葉シート状に展開できる。このとき、第２側辺５に連なるシート面は右側へ引っ張られて、折りたたまれた状態の折り線１４をく字状に展開して、第１側辺４に連なるシート面が、第２側辺５に連なるシート面から離れるのを助ける。同様に、第１側辺４に連なるシート面は、左側へ引っ張られて、折りたたまれた状態の折り線１３をく字状に展開して、第２側辺５に連なるシート面が、第１側辺４に連なるシート面から離れるのを助ける。
【００３６】
上記のように、本発明に係る払拭清浄体は、ロール状の払拭清浄体を平坦な状態に解きほぐす動作と、重畳された状態のシートを展開する動作とを同時進行的に連続して行うことができる。また、重畳されたシートを展開する過程では、第１側辺４に連なるシート面と第２側辺５に連なるシート面とが、互いに分離動作を補助しあって、各シート面の展開動作を促進する。したがって、従来のこの種の払拭清浄体とは異なり、ロール状の払拭清浄体を一気に枚葉シート状に展開できる。医療や介護等の臨床現場においては、患者の状況や要望に応じて、払拭清浄体を迅速に展開して手指や肌面を払拭し、あるいは患部などを清浄にすることができる。
【００３７】
なお、第１側辺４と第２側辺５の展開始端６・７に、摘み位置を明確化するための表示を設けておくと、誤って折り線１３の隅部分を摘んで展開操作するのを防止できる。摘み位置を示す表示は印刷して形成するのが簡便であるが、シート体１の該当する隅部分に穴をあけて、あるいは該当する隅部分を外面側へ向かって折り曲げて摘み位置を示す表示とすることができる。
【００３８】
（実施例２）  図６、図７は本発明に係る払拭清浄体の実施例２を示す。そこでは、第１工程において、実施例１と同様に不織布製の原反ウェブを繰り出しながら、ウェブＷを二つ折りにして、第１側辺４と第２側辺５とが左右方向へずれた状態の前段重畳シート１０を形成する。第２工程において、第１側辺４と第２側辺５のそれぞれが外面に露出する状態で、前段重畳シート１０を二つ折りにして次段重畳シート１２を形成する。詳しくは、前段重畳シート１０を、その左右中央よりも第１側辺４側へ偏寄する折り線１３に沿って谷折りして次段重畳シート１２を形成する。図７に重畳された次段重畳シート１２の断面を示している。
【００３９】
以後は、実施例１と同様にして、次段重畳シート１２を前辺２から所定の位置で切断して重畳ブランクを形成する。最後に、第１側辺４と第２側辺５のそれぞれが外面に露出する状態で、重畳ブランクを渦巻状に巻き込んでロール状に整形する。得られた払拭清浄体は、実施例１の払拭清浄体に比べて直径が小さく、しかもロール中心軸Ｐ方向の長さが大きなものとなる。他は先の実施例１と同じであるので、同じ部材に同じ符号を付して、その説明を省略する。上記のように、前段重畳シート１０を二つ折りにして次段重畳シート１２を形成すると、重畳構造が６層であった実施例１の払拭清浄体に比べて、払拭清浄体の重畳構造を４層に簡素化できる。したがって、ロール状の払拭清浄体をさらに確実に、しかも迅速に枚葉シート状に展開できる。この重畳構造は、お絞りやハンカチサイズの比較的小さなサイズの払拭清浄体を形成するのに適している。
【００４０】
実施例２で説明した払拭清浄体の次段重畳シート１２は、図８（ａ）および図８（ｂ）のように形成することができる。図８（ａ）における次段重畳シート１２は、前段重畳シート１０を、その左右中央の折り線１３に沿って谷折りしたものであり、これにより第１側辺４が折り線１１の真上に位置する次段重畳シート１２が得られる。このように、第１側辺４が折り線１１の真上に位置する状態の次段重畳シート１２をロール状に巻き込むと、第１側辺４と第２側辺５のみをロール周面に露出させることができるので、誤って折り線１１の前端を摘んで展開操作するのを防止できる。
【００４１】
図８（ｂ）における次段重畳シート１２は、前段重畳シート１０を、その左右中央よりも折り線１１側へ偏寄する折り線１３に沿って谷折りしたものであり、これにより第１側辺４が折り線１１より外側方へ突出した状態の次段重畳シート１２が得られる。このように、第１側辺４が外側方へ突出する状態の次段重畳シート１２をロール状に巻き込むと、折り線１１によって形成されるロール端面より外側に、第１側辺４によって形成されるロール端面を形成できる。したがって、図８（ａ）で説明した払拭清浄体と同様に、誤って折り線１１の前端を摘んで展開操作するのをさらに確実に防止できるうえ、第１側辺４が径方向へ変形できるので、払拭清浄体を展開操作するときの、第１側辺４の展開始端６の捕捉をさらに簡便に行える。なお、図８（ａ）および図８（ｂ）で説明した次段重畳シート１２における第１側辺４の位置の変更は、実施例１で説明した次段重畳シート１２においても同様に適用できる。
【００４２】
（実施例３）  図９は本発明に係る払拭清浄体の実施例３を示す。そこでは、横長長方形状の不織布製のシート体１を出発材料にして、ロール状の払拭清浄体を形成する。第１工程においては、シート体１を折り線１１に沿って二つ折りにするが、折り線１１を前辺２および後辺３に対して斜めに交差させる点が、実施例１の払拭清浄体と異なる。この実施例では、シート体１を、シート体１の左右中央の前後方向の中心線Ｑに対して７度傾斜する折り線１１に沿って二つ折りした。さらに、実施例１と同様にして断面がＺ字状の次段重畳シート１２を形成し、さらに第３工程において次段重畳シート１２をロール状に巻き込むようにした。第２工程における折り線１３・１４は、それぞれ折り線１１と平行にした。また、巻き込み中心軸線１５は各折り線１１・１３・１４に対して直交させた。
【００４３】
得られた払拭清浄体は、図９（ｄ）に示すように、第１側辺４および第２側辺５の巻き終端部分が、ロール中心軸Ｐ方向の異なる位置においてロール周面に露出しており、さらに展開始端６・７が、払拭清浄体のロール周面の周方向の異なる位置に露出することになる。このように構成した払拭清浄体は、第１側辺４に連なるシート面をロール周面に大きく露出させることができ、しかも周方向にずれた位置にある展開始端６・７を摘んで展開操作できるので、実施例１の払拭清浄体に比べてさらに展開しやすい払拭清浄体とすることができる。
【００４４】
上記の各実施例では、重畳ブランクを後辺３側から巻き込むようにしたが、その必要はなく前辺２側から巻き込むことができる。その場合には、第１側辺４の後端と第２側辺５の後端のそれぞれを展開始端６・７にして、払拭清浄体を展開操作できる。巻き込み中心軸１５は、各折り線１１・１３・１４に対して直交していることが好ましいが、必要があれば、巻き込み中心軸１５が各折り線１１・１３・１４に対して斜めに交差する状態で、重畳ブランクを渦巻状に巻き込むことができる。
【００４５】
実施例３におけるシート体１は横長四角形状に形成するのが好ましいが、必要があれば、正方形や、横長の平行四辺形状や、横長の台形状などの四角形状に形成することができる。因みに、正方形のシート体１を出発材料とする場合には、シート体１を前後二つ折りにして横長四角形状に形成したのち、第１工程、第２工程、第３工程を経てロール状の払拭清浄体を形成するとよい。また、各実施例において、ロール状の払拭清浄体を枚葉シート状に展開した状態におけるシート体１は、予め二つ折り、あるいは三つ折りしたシートであってもよく、あるいは、複数枚のシートを重ねた積層シートであってもよい。前辺２、後辺３、第１側辺４、第２側辺５は、それぞれ突弧状や凹弧状に形成してあってもよく、シート体１の四隅部分は丸めてあってもよい。
【００４６】
払拭清浄体に含浸させる液体としては、手指、顔、首、足などを払拭するのに使用されるウェットティッシュの含浸液と同様の、殺菌消毒剤を含む精製水や、抗菌剤を含む精製水であってもよい。さらに、保湿剤、ローション、乳液などの化粧液であってもよい。実施例１、および実施例２の製造方法は、ウェブＷを出発素材にしてロール状に整形された払拭清浄体を連続して製造できるが、拭清浄体のサンプルや、小ロットの拭清浄体を製造する場合などには、実施例３の拭清浄体と同様に矩形シートからなるシート体１を出発素材にして形成することができる。
【符号の説明】
【００４７】
１  シート体
２  前辺
３  後辺
４  第１側辺
５  第２側辺
１０  前段重畳シート
１１  折り線
１２  次段重畳シート
１３・１４  折り線
Ｐ  ロール中心軸
【図１】
0005769944.tif 000002
【図２】
0005769944.tif 000003
【図３】
0005769944.tif 000004
【図４】
0005769944.tif 000005
【図５】
0005769944.tif 000006
【図６】
0005769944.tif 000007
【図７】
0005769944.tif 000008
【図８】
0005769944.tif 000009
【図９】
0005769944.tif 000010